(57)【特許請求の範囲】
【請求項１】
電線の端末に接続される一対のバレル片が前記電線の被覆部の両側から重なり合う状態に巻き付けられて圧着される端子金具であって、
両バレル片が重なり合う位置において前記両バレル片の一方には同他方のバレル片の側縁に対して前記電線の軸線方向に当接可能な規制片が設けられていることを特徴とする端子金具。
【請求項２】
前記規制片は、外側に巻き付けられる一方の前記バレル片の側縁に設けられていることを特徴とする請求項１記載の端子金具。
【請求項３】
前記一方のバレル片から前記規制片の先端までの高さは、同規制片の先端が前記被覆部を貫通しない態様で前記被覆部に食い込み可能に設定されていることを特徴とする請求項２記載の端子金具。
【請求項４】
相手方端子金具に接続される接続部を備え、前記規制片は前記バレル片における前記接続部側の側縁に設けられていることを特徴とする請求項１乃至請求項３の何れか一項に記載の端子金具。
【請求項５】
一方の前記バレル片の先端部において他方の前記バレル片と重なり合う部分には、先端に向かうほど薄肉となる薄肉部が形成されており、前記規制片の基端部には他方の前記バレル片に向かって立ち上がり前記薄肉部に連なる第一当接面と、この第一当接面とは前記電線の軸線方向にずれて配された第二当接面とを有することを特徴とする請求項１乃至請求項４の何れか一項に記載の端子金具。
【請求項６】
前記電線は、芯線を覆ってこれをシールドする編組線と、この編組線を覆う前記被覆部とを備えたシールド電線であって、前記両バレル片が前記被覆部に圧着されることを特徴とする請求項１乃至請求項５の何れか一項に記載の端子金具。
【発明の詳細な説明】
【技術分野】
【０００１】
本発明は、電線を圧着するバレル片を備えた端子金具に関する。
【背景技術】
【０００２】
従来、電線の端末部分に接続される端子金具として、例えば特許文献１に記載の端子金具が公知である。この端子金具は、電線の芯線にかしめ付けられるワイヤバレル部と、絶縁性の被覆部にかしめ付けられるインシュレーションバレル部とを備えている。ワイヤバレル部は、その先端を芯線に食い込ませるようにして、芯線に対して強固にかしめ付けられる一対のワイヤバレル片を有している。一方、インシュレーションバレル部は、被覆部を両側から抱き込むように巻き付けられる一対のバレル片を有している。
【先行技術文献】
【特許文献】
【０００３】
【特許文献１】特開２０１０−４４９９６号公報
【発明の概要】
【発明が解決しようとする課題】
【０００４】
しかしながら、インシュレーションバレル部は、被覆部が破れない程度の締め付け力でかしめ付けられることに加えて、両バレル片を重ね合わせた、いわゆるオーバーラップ形式で圧着されるため、両バレル片の巻き崩れが発生しやすい。両バレル片の巻き崩れが発生すると、被覆部をかしめ付ける力が低下することになる。
また、例えば、この種の端子金具を編組線で芯線を覆ったシールド電線に適用させる場合には、編組線をワイヤバレル部によってオーバーラップ形式でかしめつける。したがって、シールド電線におけるワイヤバレル部の電線固着力は、電線の芯線に圧着される場合に比べて弱くなる。そのため、シールド電線におけるインシュレーションバレル部の電線固着力は非常に重要であり、両バレル片の巻き崩れはシールド電線に対する端子金具の固着力を全体的に低下させるといった虞がある。
【０００５】
本発明は上記のような事情に基づいて完成されたものであって、被覆部をかしめ付ける両バレル片の巻き崩れを規制して、電線固着力の低下を防止することを目的とする。
【課題を解決するための手段】
【０００６】
上記の目的を達成する手段として本発明は、電線の端末に接続される一対のバレル片が前記電線の被覆部の両側から重なり合う状態に巻き付けられて圧着される端子金具であって、両バレル片が重なり合う位置において前記両バレル片の一方には同他方のバレル片の側縁に対して前記電線の軸線方向に当接可能な規制片が設けられている構成としたところに特徴を有する。
このような構成によると、両バレル片をオーバーラップ状態に圧着するときには、一方のバレル片に設けられた規制片が他方のバレル片の側縁に当接した状態になることで両バレル片の巻き崩れが規制され、電線固着力の低下を防ぐことができる。
【０００７】
本発明の実施の態様として、以下の構成が望ましい。
前記規制片は外側に巻きつけられる前記バレル片の側縁に設けられている構成としてもよい。このような構成によると、外側から巻きつけられるバレル片に規制片を設けることで、内側に位置するバレル片の側縁に容易に規制片を当接した状態に圧着することができる。
前記一方のバレル片から前記規制片の先端までの高さは、同規制片の先端が前記被覆部を貫通しない態様で前記被覆部に食い込み可能に設定されている構成としてもよい。このような構成によると、外側に巻きつけられる一方のバレル片の規制片が電線の被覆部に食い込んだ状態となって固定されるため、外側に位置する一方のバレル片が周囲の部材と多少接触したとしても重なり部分の状態が崩れることを規制することができる。
【０００８】
相手方端子金具に接続される接続部を備え、前記規制片は前記バレル片における前記接続部側の側縁に設けられている構成としてもよい。このような構成によると、金属板材を打ち抜いて加工する際に、展開状態における接続部とバレル片との間に形成されたデッドスペースを有効に活用して規制片を成形することができる。
一方の前記バレル片の先端部において他方の前記バレル片と重なり合う部分には、先端に向かうほど薄肉となる薄肉部が形成されており、前記規制片の基端部には他方の前記バレル片に向かって立ち上がり前記薄肉部に連なる第一当接面と、この第一当接面とは前記電線の軸線方向にずれて配された第二当接面とを有する構成としてもよい。
このような構成において両バレル片を被覆部に巻き付けると、他方のバレル片の先端部が一方のバレル片の薄肉部に重なり合うことで、他方のバレル片の側縁が第一当接面に当接した状態に配置される。これにより、両バレル片の巻き崩れを規制できる。
しかしながら、両バレル片の重なり状態に多少のずれが生じた場合には、他方のバレル片が第一当接面に乗り上げた状態となることがあり得る。その場合には、第二当接面が他方のバレル片の側縁に当接した状態となって、被覆部をかしめ付ける両バレル片の巻き崩れを規制することができる。
【０００９】
前記電線は、芯線を覆ってこれをシールドする編組線と、この編組線を覆う前記被覆部とを備えたシールド電線であって、前記両バレル片が前記被覆部に圧着される構成としてもよい。シールド電線の場合、高周波特性の向上という観点から、圧着断面が真円形状であることが望ましい。この真円形状を維持するためには、被覆部をかしめ付ける力を通常の電線よりも小さくする場合があり、両バレル片の巻き崩れが発生しやすくなってしまう。その場合であっても、本願発明は両バレル片の巻き崩れを規制できるから、編組線を有するシールド電線に対して好適である。
【発明の効果】
【００１０】
本発明によれば、被覆部をかしめ付ける両バレル片の巻き崩れを規制することができる。
【図面の簡単な説明】
【００１１】
【図１】本実施形態に係る端子金具の斜視図
【図２】同平面図
【図３】同正面図
【図４】同背面図
【図５】同側面図
【図６】シールド電線の端末に端子金具が接続された状態を示す斜視図
【図７】内導体端子及び誘電体が装着された端子金具がコネクタハウジングに収容された状態を示す断面図
【発明を実施するための形態】
【００１２】
＜実施形態＞
本発明の一実施形態について図１乃至図７を参照して説明する。
本実施形態の端子金具１０は図示しない導電性に優れた金属板をプレスによって打ち抜き形成して所定の曲げ加工等を施すことによって成形され、例えば、高周波コネクタ用の外導体端子としてシールド電線３０の端末に接続される。
シールド電線３０は、図７に示すように、軸中心に配置された信号線（芯線に相当する）３１、この信号線３１の外周側において同心円状に配置された絶縁内被覆部（内被覆部に相当する）３２、この絶縁内被覆部３２を覆う編組線３３、この編組線３３を覆う絶縁外被覆部（被覆部に相当する）３４を備えて構成されている。シールド電線３０の端末では絶縁外被覆部３４が皮剥きされて編組線３３が露出された状態となっている。
端子金具１０は、図１乃至図５に示すように、円筒状をなす円筒接続部（接続部に相当する）１１と、円筒接続部１１の後方に配置されたワイヤバレル部１２と、このワイヤバレル部１２の後方に配置されたインシュレーションバレル部１３とを備えている。
【００１３】
円筒接続部１１の内部には、図７に示すように、シールド電線３０の信号線３１に接続された内導体端子４０を収容しており、この内導体端子４０と円筒接続部１１との間にはこれらを絶縁する絶縁材からなる誘電体４１が配設されている。
円筒接続部１１の外面には、上面側の先端部に形成されたランス用係止突起１４と、底面側の後端部に形成されたリテーナ用係止突起１５とが形成されている。ランス用係止突起１４は、図７に示すように、コネクタハウジング５０のキャビティ５１内に設けられた可撓性ランス５２によって係止され、リテーナ用係止突起１５は、コネクタハウジング５０に設けられたリテーナ取付孔５３に装着されるリテーナ５４によって係止される。
【００１４】
一方、ワイヤバレル部１２は、図１に示すように、円筒接続部１１から後方に延設された円弧状の底板部１６Ａと、底板部１６Ａの左右両側縁から上方に向かって立ち上がった一対のワイヤバレル片１２Ｒ，１２Ｌとを備えて構成されている。この一対のワイヤバレル片１２Ｒ，１２Ｌは、図６及び図７に示すように、底板部１６Ａに配置されたシールド電線３０の編組線３３の左右両側から抱き込むように編組線３３の外周面に巻きつけられ、互いの先端部が重なり合ったいわゆるオーバーラップ形式にかしめつけられる。これにより、端子金具１０は編組線３３と電気的に接続された状態となり、内導体端子４０は端子金具１０の円筒接続部１１内において電磁的にシールドされる。
【００１５】
また、ワイヤバレル部１２の底板部１６Ａの中央部と、背面視左側に位置するワイヤバレル片１２Ｌの中央部とにはシールド電線３０の軸線方向と直交する方向に延びるスリット１７が設けられている。このスリット１７は両ワイヤバレル片１２Ｒ，１２Ｌが編組線３３にかしめつけられる時に編組線３３に食い込むように構成されている。
また、背面視左側のワイヤバレル片１２Ｌの先端部の内面には第一屈曲溝１２Ａがシールド電線３０の軸線方向と平行する方向に設けられている。この屈曲溝１２Ａは両ワイヤバレル片１２Ｒ,１２Ｌがかしめ付けられるときに、左側のワイヤバレル片１２Ｌが右側のワイヤバレル片１２Ｒの内側に潜り込みやすくする役割を果たしている。
また、ワイヤバレル片１２Ｌの先端部の外面には内方向先端側に向かって傾斜する第一テーパ面１８が形成され、ワイヤバレル片１２Ｒの先端部の内面には外方向先端側に向かって傾斜する第二テーパ面１９が形成されている。これらのテーパ面１８，１９は両ワイヤバレル片１２Ｒ，１２Ｌをオーバーラップ形式にかしめ付けるときに互いのバレル片１２Ｒ，１２Ｌを密着し易くする役割を果たしている。
【００１６】
一方、インシュレーションバレル部１３はワイヤバレル部１２の後方に間隔をあけて形成されている。このインシュレーションバレル部１３は、図１に示すように、ワイヤバレル部１２の底板部１６Ａの後方に底板部１６Ａよりも幅広に設けられた拡幅底板部１６Ｂと、拡幅底板部１６Ｂの左右両側縁から上方に向かって立ち上がる一対のインシュレーションバレル片１３Ｒ,１３Ｌとを備えて構成されている。なお、以下の説明においては、インシュレーションバレル片１３Ｒ，１３Ｌをそれぞれ略してバレル片１３Ｒ，１３Ｌという場合がある。
この一対のバレル片１３Ｒ，１３Ｌは、図６及び図７に示すように、両ワイヤバレル片１２Ｒ，１２Ｌに比べて細長に形成されている。また、この一対のバレル片１３Ｒ,１３Ｌはシールド電線３０の絶縁外被覆部３４の左右両側から抱き込むように絶縁外被覆部３４の外周面に巻きつけられ、互いの先端部が重なり合ったいわゆるオーバーラップ状態にかしめつけられる。これにより、インシュレーションバレル部１３は絶縁外被覆部３４に固定され、ワイヤバレル部１２と共に、端子金具１０をシールド電線３０に保持固定する。
【００１７】
右側バレル片（背面視右側のバレル片）１３Ｒの先端部の内面には、ワイヤバレル部１２とは逆に左側バレル片（背面視左側のバレル片）１３Ｌの内側に潜り込みやすくするための第二屈曲溝１３Ａが設けられている。この第二屈曲溝１３Ａは、シールド電線３０の軸線方向と平行する方向に延びて設けられている。
また、左側バレル片１３Ｌの先端部には先端側に向かうほど薄肉となる薄肉部２６が設けられている。この薄肉部２６の内面は、外方向先端側に向かって傾斜する第三テーパ面２０とされている。一方、右側バレル片１３Ｒの先端部においても先端側に向かうほど薄肉となる薄肉部２７が設けられている。この薄肉部２７の外面は、内方向先端側に向かって傾斜する第四テーパ面２１とされている。これらの薄肉部２６，２７は、ワイヤバレル部１２のテーパ面１８，１９と同様、両バレル片１３Ｒ，１３Ｌをオーバーラップ形式に巻きつけるときに互いのバレル片１３Ｒ，１３Ｌを密着し易くするように作用する。
【００１８】
さて、左側バレル片１３Ｌの先端部における前側（ワイヤバレル片１２側）の側縁には規制片２２が設けられている。この規制片２２は、図１、図２及び図４に示すように、左側バレル片１３Ｌの先端部における前側の側縁から内方向（図１における右側バレル片１３Ｒに向かう方向）に突出した形態をなしている。また、規制片２２は、左側バレル片１３Ｌの先端部における前側の側縁を曲げ縁として内方向に屈曲させることによって形成されている。なお、規制片２２は、両バレル片１３Ｒ，１３Ｌが重なり合う位置における薄肉部２６と隣接する位置に設けられている。
なお、規制片２２は、端子金具１０の展開状態における円筒接続部１１とインシュレーションバレル部１３の間、すなわちデッドスペースを利用して形成されている。端子金具１０は個片に切断される前段階の状態では複数の展開状態の端子金具１０が隣り合って連結した状態をなしている。したがって、個片に切断する前段階における複数の展開した端子金具が連結する状態において隣り合う一対の端子金具１０，１０間のピッチを変更することなく、規制片２２を形成することができる。
【００１９】
規制片２２の基端部には、第三テーパ面２０の側縁から内方向に立ち上がる第一当接面２３が形成されている。また、規制片２２の先端部には、第一当接面２３よりも前方にずれて配された第二当接面２４が形成されている。第一当接面２３と第二当接面２４は、規制片２２を屈曲する際に形成された屈曲面を介して互いに連結されている。両当接面２３，２４は、いずれもシールド電線３０の軸線方向に対して交差する面とされている。なお、規制片２２の先端部には、先細り形状をなす係合爪２５が形成されている。
第一当接面２３は、両バレル片１３Ｒ，１３Ｌを圧着して第三テーパ面２０の内側に潜り込んだ右側バレル片１３Ｒの側縁と当接あるいは近接した状態となる。したがって、第一当接面２３が右側バレル片１３Ｒの側縁と当接することで、両バレル片１３Ｒ，１３Ｌの巻き崩れが規制される。
また、右側バレル片１３Ｒが本来の圧着位置よりも前方で圧着された場合、右側バレル片１３Ｒが第一当接面２３に乗り上げることが予想される。この場合であっても、右側バレル片１３Ｒの前側の側縁が第二当接面２４に当接可能となるため、両バレル片１３Ｒ，１３Ｌの巻き崩れが規制されることになる。
また、規制片２２の左側バレル片１３Ｌからの突出高さは、右側バレル片１３Ｒの板厚寸法よりもやや長く、右側バレル片１３Ｒの板厚寸法と絶縁外被覆部３４の厚さ寸法との和よりも短い寸法に設定されている。このため、両バレル片１３Ｒ，１３Ｌを絶縁外被覆部３４に圧着すると、規制片２２の先端部の係合爪２５が絶縁外被覆部３４に食い込んだ状態となるものの、編組線３３に接触することはない。
【００２０】
本実施形態の端子金具１０は上記のような構造であって、続いてこの端子金具１０とシールド電線３０との接続方法を説明し、併せてその作用効果を説明する。
まず、シールド電線３０の端末において絶縁外被覆部３４を皮剥きして編組線３３を露出させるとともに、絶縁内被覆部３２を皮剥きして信号線３１を露出させる。この信号線３１の端末に対して、内導体端子４０を圧着して接続する。
一方、端子金具１０の円筒接続部１１内には誘電体４１を予め収容しておき、この誘電体４１内に前記の信号線３１に接続された内導体端子４０を挿入して抜け止めされた状態に装着する。これに伴い、シールド電線３０における露出された編組線３３がワイヤバレル部１２の底板部１６Ａに、また絶縁外被覆部３４がインシュレーションバレル部１３の底板部１６Ｂにそれぞれ配置された状態となる。
【００２１】
このようにシールド電線３０を端子金具１０に配置した状態で、端子金具１０の両ワイヤバレル片１２Ｒ，１２Ｌと両インシュレーションバレル片１３Ｒ，１３Ｌとをかしめつけるために、図示しないアンビル及び図示しないクリンパを有する周知の圧着機によって圧着する。このとき、両ワイヤバレル片１２Ｒ，１２Ｌは、オーバーラップ形式に編組線３３の外周面に左右両側から編組線３３に巻きつくようにしてかしめられる。そして、かしめ動作の初期には左側のワイヤバレル片１２Ｌの先端部が第一屈曲溝１２Ａの位置から内側に向かって屈曲し、左側のワイヤバレル片１２Ｌが右側のワイヤバレル片１２Ｒの内側に潜り込む。これにより、両ワイヤバレル片１２Ｒ,１２Ｌがスムーズにかしめ付けられ、図６に示すように、両ワイヤバレル片１２Ｒ，１２Ｌの先端部が互いに重なり合ったオーバーラップ形式で接続される。また、両ワイヤバレル片１２Ｒ，１２Ｌの先端部に設けられた第一及び第二のテーパ面１８，１９によって、互いのワイヤバレル片１２Ｒ，１２Ｌは密着した状態にかしめ付けられる。
【００２２】
一方、インシュレーションバレル部１３では、両バレル片１３Ｒ，１３Ｌが、両ワイヤバレル片１２Ｒ，１２Ｌと同様に、絶縁外被覆部３４の外周面に左右両側から抱き込んで巻きつくようにしてかしめつけられ、オーバーラップ形式で固定される。このかしめ動作の初期において右側バレル片１３Ｒの先端部には薄肉部２７が形成されているため、両バレル片１３Ｒ，１３Ｌの先端が互いに干渉し合うことなく右側バレル片１３Ｒが左側バレル片１３Ｌの内側に案内される。また、第二屈曲溝１３Ａの位置から内側に向かって屈曲することで確実に右側バレル片１３Ｒが左側バレル片１３Ｌの内側に潜り込む。これにより、オーバーラップ形式のかしめ圧着をスムーズに行うことができる。また、両バレル片１３Ｒ，１３Ｌの先端部に設けられた第三及び第四のテーパ面２０，２１によって、互いの両バレル片１３Ｒ，１３Ｌは密着した状態にかしめ付けられる。
【００２３】
ところで、両バレル片１３Ｒ，１３Ｌはオーバーラップ形式で圧着されているため、外側に巻きつけられる左側バレル片１３Ｌの巻き崩れが発生しやすくなっている。しかしながら、本実施形態の左側バレル片１３Ｌには規制片２２が形成されているため、この規制片２２が右側バレル片１３Ｒの側縁に当接することによって、両バレル片１３Ｒ，１３Ｌの巻き崩れが規制される。詳細には、両当接面２３，２４の一方が右側バレル片１３Ｒの側縁に当接することによって、両バレル片１３Ｒ，１３Ｌの巻き崩れが規制されることになる。これにより、互いのバレル片１３Ｒ，１３Ｌは崩れることなく絶縁外被覆部３４をかしめ圧着することができる。
また、左側バレル片１３Ｌが右側バレル片１３Ｒにかしめ付けられると、規制片２２の係合爪２５がシールド電線３０の絶縁外被覆部３４に食い込むため、左側バレル片１３Ｌの前後方向への移動が規制される。一方、右側バレル片１３Ｒについては、もとより絶縁外被覆部３４にやや食い込んだ状態で接触しているため、前後方向への移動が規制される。このようにして両バレル片１３Ｒ，１３Ｌの巻き緩みが規制され、端子金具１０の固着力を向上させることができる。
【００２４】
また、シールド電線３０に接続された端子金具１０の搬出などの際に、左側バレル片１３Ｌが周囲の部材と多少接触したとしても、係合爪２５がシールド電線３０の絶縁外被覆部３４に食い込んで固定されているため、重なり部分の状態が崩れることを防止することができる。
さらには、両バレル片１３Ｒ，１３Ｌを図示しないクリンパによってかしめる圧着するときに左側バレル片１３Ｌがやや前方にずれて圧着される場合においても、第一当接面２３よりも前方に位置する第二当接面２４が右側バレル片１３Ｒの側縁と当接することで、その重なり具合が大きく崩れることを防止することができる。
【００２５】
以上のように、本実施形態の端子金具１０では、規制片２２を設けたことにより、両バレル片１３Ｒ，１３Ｌの重なり部分が崩れることなくかしめ圧着することができ、更には規制片２２の係合爪２５によって、シールド電線３０への固着力を向上させることできる。
また、本実施形態の端子金具１０では、規制片２２を円筒接続部１１とインシュレーションバレル部１３との間のデッドスペースに設けたことにより、金属板をプレスによって打ち抜き形成するときに、新たに規制片２２用のスペースを設けなくてもよく、デッドスペースを有効に活用することができる。
【００２６】
＜他の実施形態＞
本発明は上記記述及び図面によって説明した実施形態に限定されるものではなく、例えば次のような実施形態も本発明の技術的範囲に含まれる。
（１）上記実施形態では、規制片２２をシールド電線３０に装着する外導体端子に適用した構成としたが、本発明は電線にかしめ圧着される端子金具に広く適用できる。すなわち、芯線と被覆部からなる電線に接続される端子金具に適用してもよい。
（２）上記実施形態では、規制片２２を左側バレル片１３Ｌにおける前側の側縁に形成した構成としたが、本発明はこのような態様に制限されるものではなく、例えば、左側バレル片１３Ｌにおける後側の側縁に規制片２２を形成してもよい。また、右側バレル片１３Ｒに規制片２２を形成してもよい。
（３）上記実施形態では、規制片２２を左側バレル片１３Ｌの両バレル片１３Ｒ,１３Ｌが重なり合う位置における薄肉部２６と隣接する位置に形成した構成としたが、本発明はこのような態様に制限されるものではない。規制片２２は、両バレル片１３Ｒ，１３Ｌが互いに重なり合う位置における少なくとも一部に形成されていればよく、例えば両バレル片１３Ｒ，１３Ｌが重なり合う位置において複数に形成されてもよい。また、規制片２２は両バレル片１３Ｒ，１３Ｌが重なり合う位置の全長に亘って形成されてもよい。
（４）上記実施形態では、規制片２２にシールド電線３０の絶縁外被覆部３４に食い込む係合爪２５を設けたことにより、シールド電線３０に対して端子金具１０の固着力を向上させる構成としたが、本発明はこのような態様に制限されるものではなく、例えば、バレル片１３Ｒ，１３Ｌにワイヤバレル部１２のスリット１７と同様のスリットを設けるなどして、このスリットを絶縁外被覆部３４に食い込ませてもよい。その場合には、規制片２２の先端部に係合爪２５を設けない構成としてもよい。
（５）上記実施形態では、円筒接続部１１を備えた端子金具としているものの、本発明によると、ワイヤバレル部１２で相手側端子と圧着接続される圧着端子などに適用してもよい。
（６）上記実施形態では、薄肉部２６を設けたことに伴って第一当接面２３が形成されているものの、本発明によると、薄肉部および第一当接面のいずれもを形成しないで、第二当接面のみを形成してもよい。
【符号の説明】
【００２７】
１１  ：円筒接続部（接続部）
１３  ：インシュレーションバレル片（バレル片）
２０  ：第三テーパ面（薄肉部）
２２  ：規制片
２６  ：薄肉部
３０  ：シールド電線（電線）
３１  ：信号線（芯線）
３３  ：編組線
３４  ：絶縁外被覆部（被覆部）
【図１】
0005424055.tif 000002
【図２】
0005424055.tif 000003
【図３】
0005424055.tif 000004
【図４】
0005424055.tif 000005
【図５】
0005424055.tif 000006
【図６】
0005424055.tif 000007
【図７】
0005424055.tif 000008